(57)【要約】【課題】操作者又は被検体の被ばく線量を容易に把握することができるＸ線診断装置を提供する。【解決手段】実施形態に係るＸ線診断装置１は、Ｘ線を照射するＸ線照射器３ａ及びＸ線を検出するＸ線検出器３ｃを支持する架台３ｅと、操作者及び被検体Ｐのどちらか一方又は両方の被ばく線量値を求める取得部と、架台３ｅに設けられ、取得部により求められた操作者及び被検体Ｐのどちらか一方又は両方の被ばく線量値を表示する表示部３ｆとを備える。【選択図】図１
2014064773.tif 000002
【特許請求の範囲】
【請求項１】
Ｘ線を照射するＸ線照射器及びＸ線を検出するＸ線検出器を支持する架台と、
操作者及び被検体のどちらか一方又は両方の被ばく線量値を求める取得部と、
前記架台に設けられ、前記取得部により求められた操作者及び被検体のどちらか一方又は両方の被ばく線量値を表示する表示部と、
を備えることを特徴とするＸ線診断装置。
【請求項２】
前記架台が設置された検査室内で用いられ、操作者により入力操作される操作部と、
前記操作部に設けられ、前記取得部により求められた操作者及び被検体のどちらか一方又は両方の被ばく線量値を表示する表示部と、
を備えることを特徴とする請求項１記載のＸ線診断装置。
【請求項３】
前記架台が設置された検査室外に設けられ、操作者及び被検体のどちらか一方又は両方の被ばく線量値を表示する表示部と、
を備えることを特徴とする請求項１又は２記載のＸ線診断装置。
【請求項４】
前記取得部は、操作者及び被検体のどちらか一方又は両方の被ばく線量値として、予想被ばく線量値を求めることを特徴とする請求項１ないし３のいずれか一に記載のＸ線診断装置。
【請求項５】
前記取得部は、操作者及び被検体のどちらか一方又は両方の被ばく線量値として、積算被ばく線量値を求めることを特徴とする請求項１ないし４のいずれか一に記載のＸ線診断装置。
【請求項６】
前記取得部は、操作者及び被検体のどちらか一方又は両方の被ばく線量値として、予想被ばく線量値及び積算被ばく線量値を求め、
前記取得部により求められた予想被ばく線量値及び積算被ばく線量値の加算値が年間被ばく線量の許容値を超えるか否かを判断する判断部と、
前記判断部により前記加算値が前記年間被ばく線量の許容値を超えたと判断された場合、前記加算値が前記年間被ばく線量の許容値を超えた旨を示す警告を報知する報知部と、
を備えることを特徴とする請求項１ないし３のいずれか一に記載のＸ線診断装置。
【請求項７】
操作者又は被検体の被ばく線量値を求める取得部と、
前記取得部により求められた操作者又は被検体の被ばく線量値を表示する表示部と、
を備えることを特徴とするＸ線診断装置。
【発明の詳細な説明】
【技術分野】
【０００１】
本発明の実施形態は、Ｘ線診断装置に関する。
【背景技術】
【０００２】
Ｘ線診断装置は、患者などの被検体にＸ線を照射してその被検体を透過したＸ線量を検出し、そのＸ線量に基づいたＸ線透過データに対する再構成処理により被検体のスライス画像（断層画像）を得る装置である。このＸ線診断装置としては、例えば、Ｘ線照射器とＸ線検出器とを対向配置し、それらを被検体の体軸まわりに回転させながら撮像を行うＸ線ＣＴ装置（Ｘ線コンピュータ断層撮像装置）が開発されている。
【０００３】
このようなＸ線診断装置には、例えば、撮像を連続的に行う透視モードがある。この透視モードによる撮像を行う場合、通常、操作者は、検査室内のＸ線照射器及びＸ線検出器の近傍で、ＣＴ透視卓と呼ばれるような操作部を入力操作する。このため、Ｘ線の照射対象となる被検体（例えば、被験者）に加え、操作者も多少なりとも被ばくすることになる。
【先行技術文献】
【特許文献】
【０００４】
【特許文献１】特開２０００−１５２９２４号公報
【発明の概要】
【発明が解決しようとする課題】
【０００５】
しかしながら、操作者は自身や被検体の被ばく線量（例えば、予想被ばく線量値や年間累積被ばく線量値など）を容易に把握することができず、例えば、年間被ばく線量の許容値に基づいて今回の検査を担当して良いか否か、あるいは、検査中の撮像回数を変更する必要があるか否かというような判断を行うことが難しい。このため、操作者や被検体の被ばく線量の容易な把握を可能とすることが望まれている。
【０００６】
本発明が解決しようとする課題は、操作者又は被検体の被ばく線量を容易に把握することができるＸ線診断装置を提供することである。
【課題を解決するための手段】
【０００７】
実施形態に係るＸ線診断装置は、Ｘ線を照射するＸ線照射器及びＸ線を検出するＸ線検出器を支持する架台と、操作者及び被検体のどちらか一方又は両方の被ばく線量値を求める取得部と、架台に設けられ、取得部により求められた操作者及び被検体のどちらか一方又は両方の被ばく線量値を表示する表示部とを備える。
【０００８】
実施形態に係るＸ線診断装置は、操作者又は被検体の被ばく線量値を求める取得部と、取得部により求められた操作者又は被検体の被ばく線量値を表示する表示部とを備える。
【図面の簡単な説明】
【０００９】
【図１】実施形態に係るＸ線診断装置の概略構成を示す図である。
【図２】実施形態に係るＸ線診断装置が備える制御部の概略構成を示すブロック図である。
【図３】実施形態に係る架台周辺の線量分布の一例を示す図である。
【図４】実施形態に係るスキャン条件と線量との関係を示すグラフである。
【図５】実施形態に係る表示画面の一例を示す図である。
【図６】実施形態に係るＸ線診断装置が行う被ばく線量表示処理の流れを示すフローチャートである。
【発明を実施するための形態】
【００１０】
実施の一形態について図面を参照して説明する。
【００１１】
図１に示すように、実施形態に係るＸ線診断装置１は、患者などの被検体Ｐが横たわる寝台２と、その寝台２上の被検体Ｐに対して撮像を行う撮像装置３と、操作者により入力操作される操作部４と、寝台２及び撮像装置３を制御する制御装置５とを備えている。このＸ線診断装置１としては、例えば、Ｘ線ＣＴ装置（Ｘ線コンピュータ断層撮像装置）が挙げられる。
【００１２】
寝台２は、被検体Ｐを載せる長方形状の天板２ａと、その天板２ａを支持して水平方向及び鉛直方向（昇降方向）に移動させる移動駆動部２ｂとを備えている。移動駆動部２ｂは、天板２ａ移動用の移動機構やその移動のための駆動力を供給する駆動源などを有している。この寝台２は、移動駆動部２ｂにより天板２ａを所望の高さまで移動させ、さらに、その天板２ａを水平方向に移動させて、天板２ａ上の被検体Ｐを所望位置まで移動させる。
【００１３】
撮像装置３は、Ｘ線を照射するＸ線照射器３ａと、そのＸ線照射器３ａに高電圧を供給する高電圧発生部３ｂと、天板２ａ上の被検体Ｐを透過したＸ線を検出するＸ線検出器３ｃと、そのＸ線検出器３ｃにより検出されたＸ線をＸ線透過データとして収集するデータ収集部３ｄと、Ｘ線照射器３ａ及びＸ線検出器３ｃを支持する架台３ｅと、各種画像を表示する表示部３ｆとを備えている。
【００１４】
Ｘ線照射器３ａは、架台３ｅの内部に設けられており、Ｘ線を出射するＸ線管やそのＸ線管から出射されたＸ線を絞るコリメータなどのＸ線絞り器などを有している。このＸ線照射器３ａは、Ｘ線管によりＸ線を出射し、そのＸ線をＸ線絞り器により絞って、天板２ａ上の被検体Ｐに対しコーン角を持つファンビーム形状、例えば、角錐形状のＸ線を照射する。なお、Ｘ線絞り器としては、様々なタイプのＸ線絞り器を用いることが可能である。
【００１５】
高電圧発生部３ｂは、架台３ｅの内部に設けられており、Ｘ線照射器３ａのＸ線管に供給する高電圧を発生させる装置である。この高電圧発生部３ｂは、制御装置５から与えられた電圧を昇圧及び整流し、その電圧をＸ線管に供給する。なお、制御装置５は、Ｘ線管により所望のＸ線を発生させるため、高電圧発生部３ｂに与える電圧の波形、すなわち振幅やパルス幅などの各種条件を制御する。
【００１６】
Ｘ線検出器３ｃは、Ｘ線照射器３ａに対向させて架台３ｅの内部に設けられている。このＸ線検出器３ｃは、天板２ａ上の被検体Ｐを透過したＸ線を電気信号に変換してデータ収集部３ｄに送信する。Ｘ線検出器３ｃとしては、多列多チャンネルのＸ線検出器を用いることが可能である。この多列多チャンネルのＸ線検出器は、Ｘ線を検出するＸ線検出素子が格子状に配列されて構成されている。なお、チャンネル列はＸ線検出素子がチャンネル方向（被検体Ｐの体軸まわり方向）に複数（例えば、数百から数千程度）並んでいる列であり、そのチャンネル列が列方向（被検体Ｐの体軸方向）に沿って複数列（例えば、１６列や６４列など）配置されている。
【００１７】
データ収集部３ｄは、架台３ｅの内部に設けられており、Ｘ線検出器３ｃにより検出されたＸ線をＸ線透過データとして収集する装置である。このデータ収集部３ｄは、Ｘ線検出器３ｃから送信された電気信号をデジタル信号に変換し、デジタルデータであるＸ線透過データ（Ｘ線量分布データ）を収集し、そのＸ線透過データを制御装置５に送信する。
【００１８】
架台３ｅは、寝台２と共に検査室内に設置されており、寝台２の天板２ａが挿入される貫通孔Ｈ１を有している。この架台３ｅは、貫通孔Ｈ１の中心を回転軸として回転するリング状の回転体（図示せず）を回転可能に支持している。この回転体には、Ｘ線照射器３ａ及びＸ線検出器３ｃが対向して固定されており、それらは回転体の回転により貫通孔Ｈ１の周囲を対向状態で回転することになる。
【００１９】
表示部３ｆは、検査室内にいる操作者が視認可能な位置、例えば、架台３ｅの寝台２側の表面であってその上部に設けられている。この表示部３ｆは制御装置５に電気的に接続されており、その表示は制御装置５により制御される。なお、表示部３ｆとしては、例えば、液晶ディスプレイや有機ＥＬ（エレクトロルミネッセンス）ディスプレイなどを用いることが可能である。
【００２０】
操作部４は、検査室内にいる操作者による入力操作を受け付ける入力部であり、例えば、撮像指示や各種設定などの様々な入力操作を受け付ける。この操作部４は制御装置５に電気的に接続されており、入力操作に応じた入力信号を制御装置５に送信する。なお、操作部４としては、例えば、ボタンやスイッチ、レバーなどの入力デバイスを用いることが可能である。
【００２１】
この操作部４は、操作画面などの各種画像を表示する表示部４ａを備えている。この表示部４ａも制御装置５に電気的に接続されており、その表示は制御装置５により制御される。なお、表示部４ａとしては、例えば、液晶ディスプレイや有機ＥＬディスプレイなどを用いることが可能である。ここで、例えば、撮像を連続的に行う透視モードによる撮像（動画像の撮像）を行う場合には、操作者は、検査室内の架台３ｅ、すなわちＸ線照射器３ａ及びＸ線検出器３ｃの近傍で、ＣＴ透視卓と呼ばれる操作部４を入力操作する。
【００２２】
制御装置５は、各部を制御する制御部５ａと、Ｘ線透過データに対して各種画像処理を行う画像処理部５ｂと、各種プログラムや各種データなどを記憶する記憶部５ｃと、操作者により入力操作される操作部５ｄと、各種画像を表示する表示部５ｅとを備えている。これらの制御部５ａ、画像処理部５ｂ、記憶部５ｃ、操作部５ｄ及び表示部５ｅはバスライン５ｆにより電気的に接続されている。この制御装置５は、例えば、検査室に隣接する操作室内に設けられている。
【００２３】
制御部５ａは、記憶部５ｃに記憶された各種プログラムや各種データに基づいて寝台２の移動駆動部２ｂや撮像装置３の高電圧発生部３ｂなどの各部を制御する。加えて、制御部５ａは、表示部５ｅにスライス画像（断層画像）やスキャノ画像（位置決め画像）などの各種画像を表示する表示制御も行い、さらに、架台３ｅの表示部３ｆ及び操作部４の表示部４ａに各種画像を表示する表示制御も行う。この制御部５ａとしては、例えば、ＣＰＵ（Central Processing Unit）などを用いることが可能である。
【００２４】
画像処理部５ｂは、データ収集部３ｄから送信されたＸ線透過データを投影データとする前処理やその投影データに対して画像再構成を行う画像再構成処理、また、スキャノ画像を生成するスキャノ画像生成処理などの各種画像処理を行う。この画像処理部５ｂとしては、例えば、アレイプロセッサなどを用いることが可能である。
【００２５】
記憶部５ｃは、各種プログラムや各種データなどを記憶する記憶装置であり、例えば、各種データとしてスライス画像やスキャノ画像などを記憶する。この記憶部５ｃとしては、例えば、ＲＯＭ（Read Only Memory）やＲＡＭ（Random Access Memory）に加え、ハードディスク（磁気ディスク装置）やフラッシュメモリ（半導体ディスク装置）などを用いることが可能である。
【００２６】
操作部５ｄは、操作室内にいる操作者による入力操作を受け付ける入力部であり、例えば、撮像指示や画像表示、画像の切り替え、各種設定などの様々な入力操作を受け付ける。この操作部５ｄとしては、例えば、キーボードやマウス、レバーなどの入力デバイスを用いることが可能である。
【００２７】
表示部５ｅは、被検体Ｐのスライス画像やスキャノ画像、操作画面などの各種画像を表示する表示装置である。この表示部５ｅとしては、例えば、液晶ディスプレイや有機ＥＬディスプレイ、ＣＲＴ（ブラウン管）ディスプレイなどを用いることが可能である。
【００２８】
次に、前述の制御部５ａについて詳しく説明する。
【００２９】
図２に示すように、制御部５ａは、操作者の被ばく線量値を求める取得部１１及び警告報知を実行するか否かを判断する判断部１２を有している。この制御部５ａには、警告を報知する報知部１３が電気的に接続されている。なお、取得部１１や判断部１２は、電気回路などのハードウエアにより構成されても良く、また、各機能を実行するプログラムなどのソフトウエアにより構成されても良く、あるいは、それらの両方の組合せにより構成されても良い。
【００３０】
取得部１１は、操作者の被ばく線量値として、例えば、操作者の予想被ばく線量値（以下、単に予想線量値という）及び年間累積被ばく線量値（以下、単に年間累積線量値という）を求める。この取得部１１は、Ｘ線の量を決めるスキャン条件（ｍＡｓ：管電流時間積）と操作者の立ち位置での線量（被ばく線量）との比例関係情報から、現在設定されているスキャン条件に対応する線量を算出し、その線量を操作者の予想線量値として求める。また、取得部１１は、撮影後、記憶部５ｃに記憶された年間累積線量値（積算線量値）を読み込み、その年間累積線量値に前述の予想線量値を実際の被ばく線量値として加算し、年間累積線量値を更新して記憶部５ｃに保存する。
【００３１】
なお、前述の比例関係情報において、操作者の立ち位置は、例えば、操作者が架台３ｅの近傍に位置する操作部４を操作する立ち位置である。また、年間累積積算値とは、被ばく開始時点から一年間、被ばく線量を順次積算して求めていくものである。この年間累積積算値は、例えば、操作者の氏名やＩＤ（識別符号）などに関連付けられ、操作者ごとに管理される。
【００３２】
ここで、例えば、１２０ｋＶ／２００ｍＡ／１．０ｓ（２００ｍＡｓ）のスキャン条件（測定条件）では、架台３ｅ周辺の線量分布は図３に示すようになり、架台３ｅから離れるほど線量は小さくなっている。このとき、操作者の立ち位置Ａでの線量は約２０μＧｙとなる。これから、スキャン条件とその立ち位置Ａでの線量との関係は、図４に示すように、比例関係として求められる。この比例関係情報が用いられ、設定済のスキャン条件（ｍＡｓ）に対応する線量が操作者の予想線量値として求められる。なお、スキャン条件は事前の検査計画などにおいてあらかじめ設定されており、このスキャン条件、すなわち管電流時間積の変更によりＸ線の発生量が調整されている。設定済のスキャン条件に基づく撮像後には、予想線量値が実際の被ばく線量値とされ、記憶部５ｃに記憶された年間累積線量値に加算され、その加算後の年間累積線量値が記憶部５ｃに保存される。
【００３３】
このように取得部１１により求められた操作者の予想線量値及び年間累積線量値は、例えば、図５に示すように、検査室内の架台３ｅの表示部３ｆにより患者情報（患者名や患者ＩＤ、心拍数、心電波形など）と共に画像Ｇ１として表示される。また、他にも、予想線量値及び年間累積線量値は、検査室内の操作部４の表示部４ａ及び操作室内の表示部５ｅにより表示される。これにより、操作者は検査室及び捜査室のどちらでも自身の予想線量値及び年間累積線量値を容易に把握することが可能となる。
【００３４】
図２に戻り、判断部１２は、予想線量値及び現時点の年間累積線量値を加算し、その加算値が年間被ばく線量の許容値を超えるか否かを判断する。なお、年間被ばく線量の許容値は、あらかじめ記憶部５ｃのメモリなどに記憶されており、必要に応じて読み出されて用いられる。
【００３５】
報知部１３は、判断部１２により前述の加算値が年間被ばく線量の許容値を超えたと判断された場合、その加算値が年間被ばく線量の許容値を超えた旨を示す警告を操作者などに向けて報知する。この報知部１３は、検査室内や操作室内の装置あるいは天井や壁面などに設けられている。なお、報知部１３としては、例えば、音や音声を出力するスピーカ、あるいは、光を発するライト、警告文字や画像点滅などの警告表示を行う表示部などを用いることが可能である。
【００３６】
次に、前述のＸ線診断装置１が行う被ばく線量表示処理について説明する。
【００３７】
図６に示すように、まず、操作者名が入力されたか否かが判断され（ステップＳ１）、その判断は操作者名が入力されるまで繰り返される（ステップＳ１のＮＯ）。操作者は、検査室内の操作部４を入力操作し、自身の氏名あるいはＩＤなどを入力する。
【００３８】
ステップＳ１において、操作者名が入力されたと判断されると（ステップＳ１のＹＥＳ）、操作者の予想線量値の算出及び操作者の年間累積線量値の読出が行われる（ステップＳ２）。ステップＳ２では、前述の比例関係情報（図４参照）から、設定済みのスキャン条件（ｍＡｓ）に対応する線量が算出され、その線量が操作者の予想線量値として決定される。また、操作者の年間累積線量値は記憶部５ｃから読み込まれる。なお、スキャン条件は、事前の検査計画などでステップＳ２の処理前にあらかじめ設定されている。
【００３９】
ステップＳ２の処理後、操作者の予想線量値及び年間累積線量値が検査室内の架台３ｅの表示部３ｆにより表示される（ステップＳ３）。このステップＳ３では、操作者の予想線量値及び年間累積線量値が、例えば、検査室内の架台３ｅの表示部３ｆにより患者情報（患者名や患者ＩＤ、心拍数、心電波形など）と共に画像Ｇ１として表示される（図５参照）。また、他にも、操作者の予想線量値及び年間累積線量値は、検査室内の操作部４の表示部４ａ及び操作室内の表示部５ｅにより表示される。
【００４０】
ステップＳ３の処理後、予想線量値及び年間累積線量値の加算値が年間線量許容値（年間被ばく線量の許容値）を超えるか否かが判断される（ステップＳ４）。加算値が年間線量許容値を超えたと判断された場合には（ステップＳ４のＹＥＳ）、その加算値が年間線量許容値を超えた旨を示す警告が報知され（ステップＳ５）、処理はステップＳ６に進む。ステップＳ５では、例えば、音や音声などにより警告が発せられる。一方、加算値が年間線量許容値を超えていないと判断された場合には（ステップＳ４のＮＯ）、そのまま検査が開始される（ステップＳ６）。
【００４１】
ステップＳ６の処理後、検査が終了したか否かが判断され（ステップＳ７）、その判断は検査が終了するまで繰り返される（ステップＳ７のＮＯ）。検査室内の操作部４に対する操作者の入力操作に応じて、検査が終了したと判断されると（ステップＳ７のＹＥＳ）、操作者の予想線量値が実際の被ばく線量値として年間累積線量値に加算されて記憶部５ｃに保存され（ステップＳ８）、表示が停止される（ステップＳ９）。
【００４２】
このような被ばく線量表示処理によれば、操作者の予想線量値及び年間累積線量値が検査室内の架台３ｅの表示部３ｆ及び操作部４の表示部４ａにより表示され、さらに、操作室内の表示部５ｅにより表示される。これにより、操作者は、検査前や検査後さらに検査途中など検査室内で自身の予想線量値及び年間累積線量値を見て確認することが可能となり、加えて、検査前や検査後など操作室内でも自身の予想線量値及び年間累積線量値を見て確認することが可能となる。したがって、予想線量値及び年間累積線量値を色々な場所で容易に把握することができる。
【００４３】
また、予想線量値及び年間累積積算値の加算値が年間被ばく線量の許容値を超えると、その加算値が年間被ばく線量の許容値を超えた旨を示す警告が報知部１３により報知される。これにより、操作者は自身の年間累積積算値が年間被ばく線量の許容値を超えていることを容易に把握することが可能となるので、検査担当の交替や検査中の撮像回数の変更などを適切に行うことができる。
【００４４】
以上説明したように、実施形態によれば、操作者の被ばく線量値（例えば、操作者の予想線量値及び年間累積線量値）を求め、その求めた被ばく線量値を表示することによって、操作者は自身の被ばく線量値を視認することが可能となるので、その被ばく線量を容易に把握することができる。特に、操作者の被ばく線量値が検査室内の表示部３ｆや表示部４ａにより表示されるため、操作者は、検査前や検査後さらに検査途中など検査室内で自身の被ばく線量値を見て確認することが可能であり、その被ばく線量値を容易に把握することができる。また、操作者の被ばく線量値が検査室外の操作室内の表示部５ｅにより表示されるため、操作者は、検査前や検査後など操作室内でも自身の被ばく線量値を見て確認することが可能であり、その被ばく線量値を色々な場所で容易に把握することができる。
【００４５】
また、例えば、操作者の予想線量値が表示されるため、操作者は検査前にその予想線量値を視認して容易に把握することができる。さらに、操作者の年間累積線量値が表示されるため、操作者は検査前にその年間累積線量値を視認して容易に把握することができる。このとき、操作者は年間被ばく線量の許容値から自身で今回の検査を担当して良いか否かという判断や検査中の撮像回数の調整などを行うことが可能となる。
【００４６】
また、予想線量値及び積算線量値（積算被ばく線量値）の加算値、すなわち年間累積線量値が年間被ばく線量の許容値を超えるか否かを判断し、その加算値が年間被ばく線量の許容値を超えたと判断した場合、その旨を示す警告を報知することによって、操作者は自身の年間累積積算値が年間被ばく線量の許容値を超えていることを容易に把握することができる。このため、操作者は検査担当の交替や検査中の撮像回数の変更などを適切に行うことが可能となる。
【００４７】
なお、前述の実施形態においては、操作者の被ばく線量値を求めて表示しているが、これに限るものではなく、例えば、被検体Ｐの被ばく線量値、例えば、被検体Ｐの予想線量値及び年間累積線量値を求めて表示するようにしても良い。この場合には、操作者は被検体Ｐの被ばく線量値を色々な場所（検査室内や操作室内など）で容易に把握することができる。さらに、被検体Ｐの部位ごとの被ばく積算量を求めて表示するようにしても良い。この場合には、操作者は被検体Ｐの部位ごとの被ばく線量値を容易に把握することができる。
【００４８】
また、前述の実施形態においては、操作者の予想線量値及び年間累積積算値を検査室内の架台３ｅの表示部３ｆ及び操作部４の表示部４ａさらに操作室内の表示部５ｅにより表示しているが、これに限るものではなく、例えば、それらのどれか一つ又は二つにより表示するようにしても良く、その数は限定されない。
【００４９】
また、前述の実施形態においては、報知部１３を新たに設けているが、これに限るものではなく、例えば、報知部１３として、前述の表示部３ｆや表示部４ａ、表示部５ｅなどを用いても良い。この場合には、表示部３ｆや表示部４ａ、表示部５ｅなどは、被ばく線量値を表示する表示部として機能することに加え、警告文字や画像点滅などの警告表示を行う警告用の表示部としても機能する。
【００５０】
また、前述の実施形態においては、操作者の予想線量値を実際の被ばく線量値として年間累積線量値に加算しているが、これに限るものではなく、例えば、操作者の実際の被ばく線量を検出する検出部を設け、その検出部により検出した実際の被ばく線量値を年間累積線量値に加算するようにしても良い。この場合には、より正確に年間累積線量値を算出することができる。また、被検体Ｐの年間累積線量値の算出においては、例えば、Ｘ線検出器３ｃにより検出されたＸ線量を実際の被ばく線量値として被検体Ｐの年間累積線量値に加算するようにしても良い。この場合にも、より正確に被検体Ｐの年間累積線量値を算出することができる。
【００５１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１    Ｘ線診断装置
３ａ  Ｘ線照射器
３ｃ  Ｘ線検出器
３ｅ  架台
３ｆ  表示部
４    操作部
４ａ  表示部
５ｄ  操作部
５ｅ  表示部
１１  取得部
１２  判断部
１３  報知部
Ｐ    被検体
【図１】
2014064773.tif 000003
【図２】
2014064773.tif 000004
【図３】
2014064773.tif 000005
【図４】
2014064773.tif 000006
【図５】
2014064773.tif 000007
【図６】
2014064773.tif 000008